(57)【要約】【課題】特に高齢者、子供、加熱調理器の操作に苦手な人に、たくさんある加熱方法から加熱方法を簡単に選べて、操作に必要な手の動きを極力少なくすること、あるいは操作手順の負担を軽減することによって、操作性が良い加熱調理器を提供すること。【解決手段】電子レンジによる加熱操作キー群２６、ヒータによる加熱操作キー群３５、オート調理メニューの操作キー群４３というように分類して配置し、前記分類された操作キー群内で、加熱をするために必要な一連の操作を行ない完結できるようにする。【選択図】  図１
2004324993.tif 000002
【特許請求の範囲】
【請求項１】
被加熱物を収納する加熱室と、被加熱物を加熱する加熱手段と、前記加熱手段を制御する操作部を備え、前記操作部は加熱をするために必要な一連の操作キー群を完結する括りとし、加熱手段方式ごとに調理メニュー群を分類して配列したことを特徴とした加熱調理器。
【請求項２】
加熱をするために必要な一連の操作キー群を完結する括りとし、加熱手段方式ごとの操作キー群、調理メニューごとの操作キー群に分類して、前記操作キー群を縦に配列したことを特徴とした請求項１に記載の加熱調理器。
【請求項３】
加熱をするために必要な一連の操作キー群を完結する括りとし、表示部を境として、上側にマイクロ波加熱の操作キー群を、あるいはヒータ加熱の操作キー群を、下側にヒータ加熱の操作キー群を、あるいはマイクロ波加熱の操作キー群を配列したことを特徴とした請求項１に記載の加熱調理器。
【請求項４】
加熱をするために必要な一連の操作キー群を完結する括りとし、表示部を境として、右側にマイクロ波加熱の操作キー群を、あるいはヒータ加熱の操作キー群を、左側にヒータ加熱の操作手順キーを、あるいはマイクロ波加熱の操作キー群を配列したことを特徴とした請求項１に記載の加熱調理器。
【請求項５】
加熱をするために必要な一連の操作キー群を完結する括りとし、加熱方式ごとの操作キー群、調理メニューごとの操作キー群に分類して配列された操作キーのうち、時間設定キー、取消しキー、スタートキーは共通して操作できることを特徴とした請求項１〜４のいずれか１項に記載の加熱調理器。
【請求項６】
加熱をするために必要な一連の操作キーの受付を、光あるいは、音と光により知らせることを特徴とした請求項１〜４のいずれか１項に記載の加熱調理器。
【請求項７】
加熱をするために必要な一連の操作キーの受付を、文字により知らせることを特徴とした請求項１〜４のいずれか１項に記載の加熱調理器。
【請求項８】
加熱をするために必要な一連の操作キーの受付履歴を、加熱開始するまで表示したことを特徴とした請求項１〜４のいずれか１項に記載の加熱調理器。
【請求項９】
加熱をするために必要な一連の操作キーの受付履歴の表示を光で行ったことを特徴とした請求項８に記載の加熱調理器。
【請求項１０】
加熱をするために必要な一連の操作キーの受付履歴の表示色を、受付前後で変えたことを特徴とした請求項８または９に記載の加熱調理器。
【請求項１１】
操作キーをタクトスイッチと、ラーメン構造体と、弾性体と、操作キー名が印刷された操作パネルで構成し、ラーメン構造体と操作パネルの間に、弾性体を介在したことを特徴とした請求項１〜４のいずれか１項に記載の加熱調理器。
【請求項１２】
操作キーを弾性体と、電極及びパターンが印刷されてスイッチ機能を有するように形成されたスイッチシートと、操作キー名が印刷された操作パネルで構成し、操作部本体と電極及びパターンが印刷されてスイッチ機能を有するように形成されたスイッチシートの間に、弾性体を介在したことを特徴とした請求項１〜４のいずれか１項に記載の加熱調理器。
【発明の詳細な説明】
【０００１】
【発明の属する技術分野】
本発明は、電子レンジ等の加熱調理器の操作部の操作性に関するものである。
【０００２】
【従来の技術】
従来、この種の高周波加熱装置としては、例えば、図１１、図１２に記載された従来の高周波加熱装置を示すものである。
【０００３】
図１１、図１２において、電子レンジ本体１には加熱室２があり、加熱室２の前面には開閉自在に設けたドア３があり、その横には加熱出力、加熱時間等を設定、操作するための操作パネル４があり、加熱室２の底部には、回転自在に設けられ、食品を載せるターンテーブル５がある。加熱室２の前面には前面に開口を持つ前面板６がある。
【０００４】
図１１、図１２、において、操作パネル４の上部には調理表示部７があり、調理条件、動作状態、温度、時間等を表示する。操作パネル４の右側部には、調理時間を入力する回転ノブスイッチ８である。操作パネル４の左側部には、調理の条件を設定する複数の操作キー９、１０、１１、１２、１３が配置されている。回転ノブスイッチ８の下側には、加熱を開始するスタートキー１４、設定した調理の条件、時間等を取消すための取消しキー１５である。調理の条件を設定する複数の操作キー９、１０、１１、１２、１３は、ドア３の開閉状態により、調理条件が切換えスイッチ（図示せず）により、変わるように構成されている。ドア３の開状態では、操作キー９はレンジ強、操作キー１０はレンジ弱、操作キー１１はグリル、操作キー１２はオーブン温度、操作キー１３はオーブン時間となる。（例えば、特許文献１参照）。
【０００５】
このように構成された従来例の高周波加熱装置の操作手順について説明する。電子レンジによる加熱の場合は、操作パネル４の左側部に配置された操作キー群から、レンジ強キー９を選びだし、操作キー群の一番上にあるレンジ強キー９の上に、手の指を持っていき操作キーを押して設定をする。次に、手を右に運び、操作パネル４の右側部の回転ノブスイッチ８を手で掴み、回転させて調理に必要な時間に設定をする。次に、手を下に運び、回転ノブスイッチ８の真下にあるスタートキー１４の上に手の指を持っていき操作キーを押す。そうすると、電子レンジによる加熱が開始されて調理が始まる。加熱を開始する前に間違いがあれば、今までの設定を取消すための取消しキー１５の上に手の指を持っていき、操作キーを押して設定を解除する。ヒータによる加熱の場合は、操作パネル４の左側部に配置された操作キー群から、オーブン温度キー１２を選びだし、オーブン温度キー１２の上に手の指を持って行き数回押してオーブン調理に必要な温度に設定をする。次に、オーブン温度キー１２の真下にあるオーブン時間キー１３を数回押して、オーブン調理に必要な時間に設定をする。次に、手を右に運び、回転ノブスイッチ８の真下にあるスタートキー１４の上に、手の指を持っていき操作キーを押すと、ヒータによる加熱が開始されて調理が始まる。加熱を開始する前に間違いがあれば、取消すための取消しキー１５の上に手の指を持って行き、操作キーを押して、今までの設定を解除するように構成されたものである。
【０００６】
【特許文献１】
特開平７−３５３４９号公報
【０００７】
【発明が解決しようとする課題】
しかしながら、前記従来の構成では、電子レンジあるいはヒータによる加熱の操作を行う場合、加熱方式の操作キー群、加熱時間の設定ノブ、スタートと取消しの操作キー群が、操作パネルの左側、右側、左側下と不規則に配置されているため、使用者は加熱方式の操作キー群のなかから、使用したい加熱の方法を探さがさなければならず、次に、加熱時間の設定ノブで時間を設定し、次に、スタートと取消しの操作キー群から、スタートキーを選び操作するというようになっている。このため、電子レンジ加熱とヒータ加熱の操作キーが同じ操作キー群にあるため、使用者が加熱方法を探さなければならなく、分りずらい。また操作する手を左から右、右から右下というように動かす必要があり、操作性が良くないという課題を有していた。
【０００８】
本発明は、前記従来の課題を解決するもので、特に高齢者、子供、加熱調理器の操作に苦手な人に、操作が簡単で分かり易く、操作性の良い加熱調理器を提供することを目的とする。
【０００９】
【課題を解決するための手段】
前記従来の課題を解決するために、本発明の加熱調理器は、加熱をするために必要な一連の操作キー群を完結する括りとし、加熱方式ごと、調理メニュー群ごとに分類して配列することにより、加熱方式ごとの操作キー群、調理メニューごとの操作キー群の内で加熱までに必要な操作が完結するため、加熱方法を簡単に選び易く、操作する手をさほど動かさなくて操作ができるので、操作性が良くなるものである。
【００１０】
【発明の実施の形態】
請求項１に記載の発明は、被加熱物を収納する加熱室と、被加熱物を加熱する加熱手段と、前記加熱手段を制御する操作部を備え、前記操作部は加熱をするために必要な一連の操作キー群を完結する括りとし、加熱方式ごと、調理メニュー群ごとに分類して配列したものである。
【００１１】
このことによって、加熱方式ごとの操作キー群、調理メニューごとの操作キー群の内で加熱までに必要な操作が完結するため、加熱方式を簡単に選び易く、操作する手をさほど動かさなくて操作ができるので、操作性が良くすることができる。
【００１２】
請求項２に記載の発明は、特に、加熱をするために必要な一連の操作キー群を完結する括りとし、加熱方式ごとの操作キー群、調理メニューごとの操作キー群に分類して、前記操作キー群を縦に配列したものである。
【００１３】
このことによって、加熱方式ごとの操作キー群、調理メニューごとの操作キー群の内で加熱までに必要な操作が完結するため、加熱方式を簡単に選び易く、操作する手をさほど動かさなくて操作ができるので、操作性が良くすることができる。
【００１４】
請求項３に記載の発明は、特に、加熱をするために必要な一連の操作キー群を完結する括りとし、表示部を境として、上側に電子レンジ加熱の操作キー群を、あるいはヒータ加熱の操作キー群を、下側にヒータ加熱の操作キー群を、あるいは電子レンジ加熱の操作キー群を配列したしたものである。
【００１５】
このことによって、加熱方式ごとの操作キー群、調理メニューごとの操作キー群の内で加熱までに必要な操作が完結するため、加熱方式を簡単に選び易く、操作する手をさほど動かさなくて操作ができるので、操作性が良くすることができる。
【００１６】
請求項４に記載の発明は、特に、加熱をするために必要な一連の操作キー群を完結する括りとし、表示部を境として、右側に電子レンジ加熱の操作キー群を、あるいはヒータ加熱の操作キー群を、左側にヒータ加熱の操作手順キーを、あるいは電子レンジ加熱の操作キー群を配列したものである。
【００１７】
このことによって、加熱方式ごとの操作キー群、調理メニューごとの操作キー群の内で加熱までに必要な操作が完結するため、加熱方式を簡単に選び易く、操作する手をさほど動かさなくて操作ができるので、操作性が良くすることができる。
【００１８】
請求項５に記載の発明は、特に、加熱をするために必要な一連の操作キー群を完結する括りとし、加熱方式ごと、調理メニュー群ごとに分類して配列された操作キーのうち、時間設定キー、取消しキー、スタートキーは共通して、受付けることができるようにしたものである。
【００１９】
このことにより、操作できるキーが多くなるため、使い勝手が良くなる。
【００２０】
請求項６に記載の発明は、特に、加熱をするために必要な一連の操作キーの受付を、光あるいは、音と光により知らせるようにしたものである。
【００２１】
このことにより、音が聞き取り難い人でも操作がきちんとなされたかを確認できる。また光により長く報知できる。
【００２２】
請求項７に記載の発明は、特に、加熱をするために必要な一連の操作キーの受付を、文字により知らせるようにしたものである。
【００２３】
このことにより、音が聞き取り難い人でも操作がきちんとなされたかを確認できる。また文字により長く報知できる。
【００２４】
請求項８に記載の発明は、特に、加熱をするために必要な一連の操作キーの受付経歴を、加熱開始するまで表示したものである。
【００２５】
このことにより、操作を途中で中断して、後から操作を再開しても次に何をすればよいかが直ぐに分り、使い勝手が良くなる。
【００２６】
請求項９に記載の発明は、特に、加熱をするために必要な一連の操作キーの受付経歴の表示を光で行うようにしたものである。
【００２７】
このことにより、操作を途中で中断して、後から操作を再開しても次に何をすればよいかが直ぐに分り、使い勝手が良くなる。
【００２８】
請求項１０に記載の発明は、特に、加熱をするために必要な一連の操作キーの受付経歴の表示色を、受付前後で変えるようにしたものである。
【００２９】
このことにより、操作がどの状態にあるかが色の変化でよく分り、使い勝手が良くなる。
【００３０】
請求項１１に記載の発明は、特に、操作キーをタクトスイッチと、ラーメン構造体と、弾性体と、操作キー名が印刷された操作パネルで構成し、ラーメン構造体と操作パネルの間に、弾性体を介在したものである。
【００３１】
このことにより、操作キーの操作感がソフトになり、特に高齢者、女性、子供の指への負担が軽くなる。
【００３２】
請求項１２に記載の発明は、特に、操作キーを弾性体と、電極及びパターンが印刷されてスイッチ機能を有するように形成されたスイッチシートと、操作キー名が印刷された操作パネルで構成し、操作部本体と電極及びパターンが印刷されてスイッチ機能を有するように形成されたスイッチシートの間に、弾性体を介在したものである。
【００３３】
このことにより、操作キーの操作感がソフトになり、特に高齢者、女性、子供の指への負担が軽くなる。
【００３４】
【実施例】
以下、本発明の一実施例について、図１〜図１０を参照しながら説明する。
【００３５】
（実施例１）
図１は本発明の第１の実施例における加熱調理器の外観斜視図である。図２は本発明の第１の実施例における操作部の外観図である。
【００３６】
図１において、電子レンジ本体２１には加熱室２２があり、加熱室２２の前面には開閉自在に設けたドア２３があり、その横には加熱方式、調理メニュー、加熱出力、加熱時間等を設定、操作するための操作部２４がある。
【００３７】
図２において、操作部２４の上部には、調理条件、動作状態、温度、時間等を表示するための表示部２５があり、操作部２４の右側中央から下方には、電子レンジによる加熱をするための操作キー群２６があり、前記操作キー群２６の操作キーの配列は、上からオート加熱のあたためキー２７、オート加熱の仕上がりを調整する強めキー２８、弱めキー２９、手動により設定して加熱するレンジキー３０、解凍キー３１、時間設定キー３２、取消しキー３３、スタートキー３４の順で配置してある。操作部２４の左側中央から下方には、ヒータによる加熱をするための操作キー群３５があり、前記操作キー群３５の操作キーの配列は、上からオーブン調理前に加熱室を暖めるオーブン予熱キー３６、オーブンキー３７、グリルキー３８、温度設定キー３９、時間設定キー４０、取消しキー４１、スタートキー４２が順に配列してある。操作部２４の表示ジ部２５の下側には、オート調理メニューの操作キー群４３があり、前記オート調理メニューの操作キー群４３の配列は、左上から複数のオート調理キー４４、４５、４６、右上に移り４７、４８、４９、オート調理メニューの仕上がりを調整する強めキー５０、弱めキー５１、取消しキー５２、スタートキー５３が順に配列されている。
【００３８】
このように構成された本発明の加熱調理器の動作、作用にについて説明する。電子レンジによる加熱の場合で、オートで加熱する時は、操作部２４の右側中央から下方に配列された、電子レンジによる加熱をするための操作キー群２６から、一番上のあたためキー２７を選び押して設定をする。次に、必要に応じあたためキー２７の直下にある、強めキー２８あるいは弱めキー２９を押して仕上がりを設定した後、前記操作キー群２６の一番下にあるスタートキー３４を押すと、電子レンジによるオートの加熱が開始されて調理が始まる。加熱を開始する前に間違いがあれば、今までの設定を取消すための取消しキー３３を押して設定を解除する。手動により設定して加熱する時は、操作部２４の右側中央から下方に配列された、電子レンジによる加熱をするための操作キー群２６から、レンジキー３０を選び押して設定をする。次に、レンジキー３０の下方にある時間設定キー３２を押して、加熱に必要な時間を設定する。次に時間設定キー３２の下方にあるスタートキー３４を押すと、手動による電子レンジ加熱が開始されて調理が始まる。加熱を開始する前に間違いがあれば、今までの設定を取消すための取消しキー３３を押して設定を解除する。
【００３９】
オーブンによる加熱の場合は、操作部２４の左側中央から下方に配列された、ヒータによる加熱をするための操作キー群３５から、たとえば、予熱が必要なオーブン調理では、始めに前記操作キー群３５の一番上のオーブン予熱キー３６を押して設定する。次に、オーブン予熱キー３６の真下にあるオーブンキー３７を押して設定する。次に、オーブンキー３７の下方にある温度設定キー３９を数回押して、調理に必要な温度に設定する。次に、温度設定キー３９の真下にある時間設定キー４０を数回押して、オーブン調理に必要な時間を合わせる。次に、時間設定キー４０の下方にあるスタートキー４２を押すと、始めにオーブン予熱が開始されて、加熱室２２が暖まり設定した温度になったら調理する食品を加熱室に入れて、（この時食品を入れるため、ドア２３を開ける操作をすることによってヒータへの通電が一時停止する）再度スタートキー４２を押すと、ヒータによる加熱が開始されてオーブン調理が始まる。ヒータによる加熱を開始する前に間違いがあれば、今までの設定を取消すための取消しキー４１を押して設定を解除する。
【００４０】
オート調理の場合は、表示部２５の真下に配置された、オート調理メニューの操作キー群４３から、たとえば左端上にあるオート調理（１）４４を選び押して設定をする。次に、必要に応じ右端上にある、強めキー５０あるいは弱めキー５１を押して仕上がりを設定した後、前記操作キー群４３の右側の一番下にあるスタートキー５３を押すと、電子レンジによるオート調理の加熱が開始されて調理が始まる。加熱を開始する前に間違いがあれば、今までの設定を取消すための取消しキー５２を押して設定を解除する。電子レンジによる加熱をするための操作キー群２６、ヒータによる加熱をするための操作キー群３５、オート調理メニューの操作キー群４３の操作キーのうち、時間設定キー３２、４０、取消しキー３３、４１、５２、スタートキー３４、４２、５３は共通して操作できるようにしてある。
【００４１】
以上説明したように、加熱方法を選ぶ時、まず電子レンジを使用した場合は、電子レンジによる加熱をするための操作キー群２６から、ヒータを使用した場合は、ヒータによる加熱をするための操作キー群３５から、オート調理を使用した場合は、オート調理メニューの操作キー群４３から選べば良く、簡単に加熱方法を選ぶことができる。また、操作は操作キー群の内で完結するようになっていて、上から下に順序よく進行するため、操作性を良くすることができるものである。
【００４２】
（実施例２）
図３は本発明の第２の実施例における操作部の外観図である。実施例１と同符号のものは同一構造を有しているため、説明は省略する。
【００４３】
図３において、縦長の操作部２４ｂの中央から上方に、調理条件、動作状態、温度、時間等を表示するための表示部２５ｂがあり、表示部２５ｂの下側に、電子レンジによる加熱をするための操作キー群５５があり、前記操作キー群５５の操作キーの配列は、左側に上からオート加熱のあたためキー５６、オート加熱の仕上がりを調整する強めキー５７、弱めキー５８、手動により設定して加熱するレンジキー５９、解凍キー６０の順に配置してある。右側に上から、時間設定キー６１、取消しキー６２、スタートキー６３の順に配置してある。前記操作キー群５５の下側には、オート調理メニューの操作キー群６４があり、前記オート調理メニューの操作キー群６４の配列は、左側は上から複数のオート調理キー６５、６６、６７、右上に移り６８、６９、７０の順に配置してある。右側に上から、オート調理メニューの仕上がりを調整する強めキー７１、弱めキー７２、取消しキー７３、スタートキー７４が順に配列されている。表示部２５ｂの上側に、ヒータによる加熱をするための操作キー群７５があり、前記操作キー群７５の操作キーの配列は、左側に上からオーブン調理前に加熱室を暖めるオーブン予熱キー７６、オーブンキー７７、グリルキー７８の順に配置してある。右側に上から温度設定キー７９、時間設定キー８０、取消しキー８１、スタートキー８２が順に配列してある。なお操作手順は実施例１とほぼ同じため省略する。
【００４４】
縦長の操作部２４ｂの中央から上方に、表示部２５ｂが配置された構成の加熱調理器であっても、加熱方法を選ぶ時、まず電子レンジを使用した場合は、電子レンジによる加熱をするための操作キー群５５から、ヒータを使用した場合は、ヒータによる加熱をするための操作キー群７５から、オート調理を使用した場合は、オート調理メニューの操作キー群６４から選べば良く、簡単に加熱方法を選ぶことができる。また、操作は操作キー群内で完結するようになっていて、順序よく進行するため、操作性を良くすることができるものである。
【００４５】
（実施例３）
図４は本発明の第３の実施例における操作部の外観図である。実施例１と同符号のものは同一構造を有しているため、説明は省略する。
【００４６】
図４において、操作部２４ｃは本体２１前面に設けられた、ドア２３の下部にある横長の操作部２４ｃの中央から左よりには、調理条件、動作状態、温度、時間等を表示するための表示部２５ｃがあり、表示部２５ｃの右側に、電子レンジによる加熱をするための操作キー群８３があり、前記操作キー群８３の操作キーの配列は、左側に上からオート加熱のあたためキー８４、オート加熱の仕上がりを調整する強めキー８５、弱めキー８６、手動により設定して加熱するレンジキー８７、解凍キー８８の順に配置してある。右側に上から、時間設定キー８９、取消しキー９０、スタートキー９１の順に配置してある。前記操作キー群８３の右側には、オート調理メニューの操作キー群９２があり、前記オート調理メニューキー群９２の配列は、左側は上から複数のオート調理キー９３、９４、９５、９６の順に配置してある。右側に上から、オート調理メニューの仕上がりを調整する強めキー９７、弱めキー９８、取消しキー９９、スタートキー１００が順に配列されている。表示部２５ｃの左側に、ヒータによる加熱をするための操作キー群１０１があり、前記操作キー群１０１の操作キーの配列は、左側に上からオーブン調理前に加熱室を暖めるオーブン予熱キー１０２、オーブンキー１０３、グリルキー１０４の順に配置してある。右側に上から温度設定キー１０５、時間設定キー１０６、取消しキー１０７、スタートキー１０８が順に配列してある。なお、操作手順は実施例１とほぼ同じため省略する。
【００４７】
横長の操作部２４ｃの中央から左方に、表示部２５ｃが配置された構成の加熱調理器であっても、加熱方法を選ぶ時、まず電子レンジを使用した場合は、電子レンジによる加熱をするための操作キー群８３から、ヒータを使用した場合は、ヒータによる加熱をするための操作キー群１０１から、オート調理を使用した場合は、オート調理メニューの操作キー群９２から選べば良く、簡単に加熱方法を選ぶことができる。また、操作は操作キー群内で完結するようになっていて、順序よく進行するため、操作性を良くすることができるものである。
【００４８】
（実施例４）
図５は本発明の第４の実施例における操作部の外観図である。実施例１と同符号のものは同一構造を有しているため、説明は省略する。
【００４９】
図５において、操作部２４に配置された、電子レンジによる加熱をするための操作キー群２６、ヒータによる加熱をするための操作キー群３５、オート調理メニューの操作キー群４３のそれぞれの操作キーの枠内には、たとえば光で操作キーの受付を報知するための発光ダイオード１２１〜１４３が設けてある。
【００５０】
このことにより、音が聞き取り難い人でも操作がきちんとなされたかを、発光ダイオードの光で確認できる。また発光ダイオード光により長く報知することができるものである。
【００５１】
（実施例５）
図６は本発明の第５の実施例における操作部の外観図である。実施例１と同符号のものは同一構造を有しているため、説明は省略する。
【００５２】
図６において、操作部２４に設けられた表示部２５に、文字１４４によりたとえば「キー操作が受付られました」と表示して、操作キーの受付を視覚に働きかけるようにしたものである。
【００５３】
このことにより、音が聞き取り難い人でも操作がきちんとなされたかを、文字１４４により確認できる。また文字により長く報知することができるものである。
【００５４】
（実施例６）
図７は本発明の第６の実施例における操作手順の進行説明図である。実施例１と同符号のものは同一構造を有しているため、説明は省略する。
【００５５】
図５、図７において、操作部２４に配置された、電子レンジによる加熱をするための操作キー群２６の各操作キーの枠内には、たとえば、光で操作キーの受付を報知するための発光ダイオード１２１〜１２７が設けてある。たとえば、電子レンジによる加熱をするため、まずレンジキー３０を押すと、レンジキー３０の枠内にある発光ダイオード１２３が点灯し、操作キーが受付られたことを報知する。次に、時間設定キー３２で、加熱に必要な時間を設定すると時間設定キー３２の枠内にある発光ダイオード１２５が点灯し、操作キーが受付られたことを報知する。この時前に操作したレンジキー３０を押すことによって点灯した、発光ダイオード１２３は点灯したままとする。更に、スタートキー３４を押すと、スタートキー３４の枠内の発光ダイオード１２７が点灯し、操作キーが受付られたことを報知する。この時、前に操作した時間設定キー３２を押すことによって点灯した、発光ダイオード１２５は点灯したままとする。そして電子レンジによる加熱が開始される。なおヒータによる加熱をするための操作キー群３５、オート調理メニューの操作キー群４３においても同様の動作をするため省略する。
【００５６】
このことにより、操作を途中で中断しても、操作された操作キーは発光ダイオードが点灯して報知しているため、後から操作を再開しても次に、どの操作キーを操作すれば良いかが直ぐに分り、使い勝手を良することができるものである。
【００５７】
（実施例７）
図８は本発明の第７の実施例における操作手順の進行説明図である。実施例１と同符号のものは同一構造を有しているため、説明は省略する。
【００５８】
図５、図８において、操作部２４に配置された、電子レンジによる加熱をするための操作キー群２６の各操作キーの枠内には、たとえば光で操作キーの受付を報知するための発光ダイオード１２１〜１２７が設けてある。たとえば、電子レンジによる加熱をするため、まずレンジキー３０を押すと、電子レンジによる加熱をするための操作キー群２６の中から、レンジキーの加熱に必要な操作キーの枠内に設けられた発光ダイオード１２３〜１２７が、いっせいにたとえば青色に点灯し、操作キーが受付られたことを報知する。次に、時間設定キー３２で、加熱に必要な時間を設定すると、時間設定キー３１の枠内にある発光ダイオード１２５は、たとえば青色からオレンジ色に変わり、操作キーが受付られたことを報知する。この時、レンジキー３０の枠内にある発光ダイオード１２３も、たとえば青色からオレンジ色に変わる。次に、スタートキー３４を押すと、スタートキー３４の枠内の発光ダイオード１２７が、たとえば青色からオレンジ色に変わり、操作キーが受付られたことを報知する。そして電子レンジによる加熱が開始される。なおヒータによる加熱をするための操作キー群３５、オート調理メニューの操作キー群４３においても同様の動作をするため省略する。
【００５９】
このことにより、操作キーが受付られたことを色の変化で知らせるため、操作がどの状態にあるかがよく分り、使い勝手が良くすることができるものである。
【００６０】
（実施例８）
図９は本発明の第８の実施例における操作キーの腰部断面図である。実施例１と同符号のものは同一構造を有しているため、説明は省略する。
【００６１】
図９において、プリント基板１５１の上には、操作キーの数だけタクトスイッチ１５２が配置されおり、タクトスイッチ１５２に対向して操作部２４に形成されたラーメン構造体１５３があり、ラーメン構造体１５３は一種の樹脂ばねの役割をしているものである。ラーメン構造体１５３上に弾性体１５４がある。弾性体１５４の上には操作キーの名前が印刷された操作パネル１５５がある構成になっていて、タクトスイッチ１５２により、操作キーの入力受付をする構成としている。
【００６２】
弾性体１５４の弾性力により、操作キーの操作感がソフトになり、特に高齢者、女性、子供の指への負担が軽くすることができるものである。
【００６３】
（実施例９）
図１０は本発明の第９の実施例における操作キーの腰部断面図である。実施例１と同符号のものは同一構造を有しているため、説明は省略する。
【００６４】
図２、図１０において、操作部２４の上には、弾性体１５６があり、弾性体１５６の上には操作キーの数だけも電極とパターンで構成されたキーボードスイッチ１５７があり。キーボードスイッチ１５７の上には、操作キーの名前が印刷された操作パネル１５８がある構成になっていて、キーボードスイッチ１５７により、操作キーの入力受付をする構成としている。弾性体１５６の弾性力により、操作キーの操作感がソフトになり、特に高齢者、女性、子供の指への負担が軽くすることができるものである。
【００６５】
なお、図及び本説明では、操作部２４を本体２１の右側あるいは本体２１前側下部に設けた構成で説明したが、操作部２４を本体２１の左側あるいは本体２１前側上部に設けた構成でも、同等の効果を得ることは言うまでもないことである。
【００６６】
なお、図及び本説明では、操作キーをタクトスイッチ１５２とキーボードスイッチ１５７の構成で説明したが、押し圧力によって操作するスイッチであれば、スイッチの構成にはこだわら無いことは言うまでもないことである。
【００６７】
なお、図及び本説明では、操作キーの受付を報知するための方法を発光ダイオードで説明したが、光を発するものであれば発光ダイオードにこだわら無いことは言うまでもないことである。
【００６８】
なお、図及び本説明では、操作キー群を加熱方式ごと、調理メニューごとに分類して配列した構成で説明したが、操作キー群は加熱をするために必要な一連の操作キー群を完結する括りとすれば良く、前記分類方法にはこだわら無いことは言うまでもないことである。
【００６９】
【発明の効果】
以上のように、請求項１〜１２に記載の発明によれば、加熱をするために必要な一連の操作キー群を完結する括りとし、加熱方式ごと、調理メニュー群ごとに分類して配列したことにより、加熱方式ごとの操作キー群、調理メニューの操作キー群の内で加熱に必要な操作が完結するため、加熱方法を簡単に選び易く、操作する手をさほど動かさなくて操作ができるので、操作性が良くなる。このことによって、特に高齢者、子供、機器の操作に苦手な人でも、たくさんある加熱方法から必要な加熱方法を簡単に選べて、操作に必要な手の動きを極力少なくすること、あるいは操作手順の負担を軽減することによって、操作性が良い加熱調理器を提供することができる。
【図面の簡単な説明】
【図１】本発明の実施例１における加熱調理器の外観斜視図
【図２】本発明の実施例１における操作部の外観図
【図３】本発明の実施例２における操作部の外観図
【図４】本発明の実施例３における操作部の外観図
【図５】本発明の実施例４における操作部の外観図
【図６】本発明の実施例５における操作部の外観図
【図７】本発明の実施例６における操作手順の進行説明図
【図８】本発明の実施例７における操作手順の進行説明図
【図９】本発明の実施例８における操作キーの断面図
【図１０】本発明の実施例９における操作キーの断面図
【図１１】従来の高周波加熱装置の外観斜視図
【図１２】従来の高周波加熱装置の操作部の外観図
【符号の説明】
２２  加熱室
２４  操作部
２５  表示部
２６  電子レンジによる加熱の操作キー群
３０  レンジキー
３２  時間設定キー
３３  取消しキー
３４  スタートキー
３５  ヒータによる加熱の操作キー群
４３  オート調理メニューの操作キー群
【図１】
2004324993.tif 000003
【図２】
2004324993.tif 000004
【図３】
2004324993.tif 000005
【図４】
2004324993.tif 000006
【図５】
2004324993.tif 000007
【図６】
2004324993.tif 000008
【図７】
2004324993.tif 000009
【図８】
2004324993.tif 000010
【図９】
2004324993.tif 000011
【図１０】
2004324993.tif 000012
【図１１】
2004324993.tif 000013
【図１２】
2004324993.tif 000014